(57)【要約】【課題】チラシやポスター等のシート材を見栄え良く、しかも、簡易に取り付け及び取り外すことができるシャッター装置を提供すること。【解決手段】シャッターカーテン２の左右両端縁をガイドレール３によってガイドしながら、該シャッターカーテン２をガイドレール３に沿って移動させることによって開口部を開閉するシャッター装置１において、前記シャッターカーテン２の少なくとも一方の面に、シート材６を着脱可能に挟持するクリップ手段５を一体的に設ける。この場合、クリップ手段５はシャッターカーテン２の厚さ内に設置し、シャッターカーテン２を閉じたとき該シャッターカーテン２が人の目に触れる側の面に設ける。又、クリップ手段５をシャッターカーテン２の幅方向略中央位置で且つ人の目の視線近傍の高さ位置に設置する。【選択図】図１
2005264449.tif 000002
【特許請求の範囲】
【請求項１】
開口部を開閉するシャッター装置において、
シャッターカーテンの少なくとも一方の面に、シート材を着脱可能に挟持するクリップ手段を設けたことを特徴とするシャッター装置。
【請求項２】
前記クリップ手段を前記シャッターカーテンの人の目の視線近傍の高さ位置に設置したことを特徴とする請求項１記載のシャッター装置。
【請求項３】
前記クリップ手段を前記シャッターカーテンの幅方向中央位置に設置したことを特徴とする請求項１又は２記載のシャッター装置。
【請求項４】
前記クリップ手段の横幅内且つ下方位置に鍵を設置したことを特徴とする請求項１〜３の何れかに記載のシャッター装置。
【請求項５】
前記クリップ手段の横幅外に手掛けを設置したことを特徴とする請求項１〜４の何れかに記載のシャッター装置。
【請求項６】
前記クリップ手段を前記シャッターカーテンの厚さ内に設置したことを特徴とする請求項１〜５の何れかに記載のシャッター装置。
【発明の詳細な説明】
【技術分野】
【０００１】
本発明は、シャッターカーテンを例えばガイドレールに沿って移動させることによって開口部を開閉するシャッター装置に関するものである。
【背景技術】
【０００２】
店舗等に設けられるシャッター装置においては、閉店時に閉じられたシャッターカーテンに宣伝広告や情報伝達のためのチラシやポスター等をガムテープ等の粘着テープで貼り付けることが行われている。
【０００３】
又、磁性シートの表面に宣伝広告用若しくは装飾用の表示体を形成してディスブレイシートを構成し、このディスプレイシートの上端をシャッターカーテンの上部に固定するとともに、下端を付勢手段により下方へ牽引付勢することによって、該ディスプレイシートを伸長した状態でシャッターカーテンに磁着するシャッター用ディスプレイ装置が提案されている（特許文献１参照）。
【０００４】
【特許文献１】特開平１０−０６３２０９号公報
【発明の開示】
【発明が解決しようとする課題】
【０００５】
ところが、従来のようにチラシやポスター等をガムテープ等の粘着テープで貼り付ける方法では、見栄えが悪いばかりか、チラシやポスター等を交換する都度粘着テープを剥す必要があり、その作業が面倒である。
【０００６】
又、前記提案に係るシャッター用ディスプレイ装置は、ディスプレイシートの着脱が容易である反面、構成が複雑で高価となり、チラシやポスター等を簡易に着脱するには不向きである。
【０００７】
本発明は上記問題に鑑みてなされたもので、その目的とする処は、チラシやポスター等のシート材を見栄え良く、しかも、簡易に取り付け及び取り外すことができるシャッター装置を提供することにある。
【課題を解決するための手段】
【０００８】
上記目的を達成するため、請求項１記載の発明は、開口部を開閉するシャッター装置において、シャッターカーテンの少なくとも一方の面に、シート材を着脱可能に挟持するクリップ手段を設けたことを特徴とする。
【０００９】
請求項２記載の発明は、請求項１記載の発明において、前記クリップ手段を前記シャッターカーテンの人の目の視線近傍の高さ位置に設置したことを特徴とする。
【００１０】
請求項３記載の発明は、請求項１又は２記載の発明において、前記クリップ手段を前記シャッターカーテンの幅方向中央位置に設置したことを特徴とする。
【００１１】
請求項４記載の発明は、請求項１〜３の何れかに記載の発明において、前記クリップ手段の横幅内且つ下方位置に鍵を設置したことを特徴とする。
【００１２】
請求項５記載の発明は、請求項１〜４の何れかに記載の発明において、前記クリップ手段の横幅外に手掛けを設置したことを特徴とする。
【００１３】
請求項６記載の発明は、請求項１〜５の何れかに記載の発明において、前記クリップ手段を前記シャッターの厚さ内に設置したことを特徴とする。
【発明の効果】
【００１４】
請求項１記載の発明によれば、シャッターカーテンに設けられたクリップ手段によってチラシやポスター等のシート材をシャッターカーテンに対して見栄え良く、しかも、簡易に取り付け及び取り外すことができ、該シート材を宣伝広告や情報伝達等の用途に供することができる。
【００１５】
請求項２記載の発明によれば、クリップ手段をシャッターカーテンの人の目の視線近傍の高さ位置に設置したため、該クリップ手段によって挟持されたチラシやポスター等のシート材が人の目に触れて宣伝広告や情報伝達等の用途に供される。
【００１６】
請求項３記載の発明によれば、クリップ手段をシャッターカーテンの幅方向中央の人の目に触れ易い位置に設置したため、該クリップ手段によって挟持されたチラシやポスター等のシート材が宣伝広告や情報伝達等の用途に供される。
【００１７】
請求項４記載の発明によれば、クリップ手段の横幅内且つ下方位置に鍵を設置したため、クリップ手段に挟持されたシート材によって鍵が隠れてこれを外部から視認することができず、このことによって防犯と外観性の向上が図られる。
【００１８】
請求項５記載の発明によれば、クリップ手段の横幅外、つまりシート材の幅よりも外へ露出する位置に手掛けを配置したため、シート材に邪魔されることなく、この手掛けに手を掛けてシャッターカーテンを操作性良く開閉することができる。
【００１９】
請求項６記載の発明によれば、クリップ手段をシャッターの厚さ内に設置したため、シャッターが移動していく経路近傍に設けられた部材（例えば、まぐさ）とクリップ手段との干渉を避けることができ、クリップ手段のためにまぐさとの間隔を広げる等の対策が不要となる。又、シャッターが巻き取られる場合には、巻き取りや巻き戻しに際して、これらの操作に支障が生ずるような突出がないため、通常の巻き取りや巻き戻し操作が可能となる。
【発明を実施するための最良の形態】
【００２０】
以下に本発明の実施の形態を添付図面に基づいて説明する。
【００２１】
図１は本発明に係るシャッター装置の正面図、図２は図１のＡ−Ａ線拡大断面図、図３（ａ）〜（ｃ）はクリップ手段の構成と作用を説明する横断面図である。
【００２２】
図１に示すシャッター装置１は、店舗に設けられたものであって、シャッターカーテン２の左右両端縁を左右一対のガイドレール３によってガイドしながら、該シャッターカーテン２をガイドレール３に沿って上下動させることによって開口部を開閉するものである。
【００２３】
ここで、上記シャッターカーテン２は、図２にその一部を示すように、横方向（図２の紙面垂直方向）に長い正面視矩形状の複数のスラット４を互いに回動可能に上下方向に連結することによって構成されており、これは手動によって上下動させることによって不図示の巻取軸に巻き取られ或は巻き戻されて開口部を開閉する。尚、図示しないが、モータやブレーキ等から成る開閉機を設け、この開閉機によって巻取軸を回転及び停止させてシャッターカーテン２の上下動及び停止を電動によって行うようにしても良い。
【００２４】
而して、図１に示すように、閉店時にシャッターカーテン２を閉じた状態において、該シャッターカーテン２の通りに面する外面（該シャッターカーテン２が通行人の目に触れる側の面）の人の目の視線近傍の高さ位置にクリップ手段５が所定幅にて特定のスラット４に一体的に設けられている。尚、「クリップ手段５の横幅」とは、該クリップ手段５に挟持し得るシート材６の最大横幅長を言い、シャッターカーテン２の略横全幅であっても良く、所定サイズ（例えば、Ａ列やＢ例の規格サイズ）のシート材６を挟むことができる幅でも良く、任意に設定し得る。
【００２５】
上記クリップ手段５は、図１に示すように、例えば『１２／２０〜２８歳末大売出し！』という情報を表示したポスター等のシート材６を着脱可能に挟持するものであって、図３に示すように、略台形断面を有する横方向（図３の紙面垂直方向）に長い筒状のクリップ本体７内に球状又は棒状のストッパピース８を転動可能に収納して構成されている。より詳細には、該クリップ手段５の前記クリップ本体７の外壁７ａの下半部は、内壁７ｂに向かって斜め下方に傾斜するテーパ壁７ａ−１を構成しており、その先端部と内壁７ｂとの間には、前記シート材６が通過するためのスリットＳが全幅に亘って形成されている。
【００２６】
而して、クリップ手段５は、図２に示すように、そのクリップ本体７の内壁７ｂをシャッターカーテン２の１つのスラット４の外面の平面部に固着することによって、シャッターカーテン２（スラット４）の厚さ内に一体的に設置されている。ここで、「シャッターカーテン２の厚さ内」とは、該シャッターカーテン２の厚みが一番厚い（厚み方向最長）箇所を基準としてその厚みの内側という意味である。尚、シャッターカーテン２が複数のスラット４で構成されている本実施の形態においては、クリップ手段５が設けられる１つのスラット４において厚みが一番厚い（厚み方向最長）箇所を基準としてその厚みの内側にクリップ手段５が存在するように構成しているため、当然、シャッターカーテン２の厚さ内にクリップ手段５が配置されているという条件を満足している。
【００２７】
このようにクリップ手段５をシャッターカーテン２（スラット４）の厚さ内に設けることによって、シャッターカーテン２が移動していく経路近傍に設けられた部材（例えば、まぐさ）とクリップ手段５との干渉を避けることができ、クリップ手段５のためにまぐさとの間隔を広げる等の対策が不要となる。又、シャッターカーテン２が巻き取られる場合には、巻き取りや巻き戻しに際して、これらの操作に支障が生ずるような突出がないため、通常の巻き取りや巻き戻し操作が可能となる。
【００２８】
ところで、本実施の形態に係るシャッター装置１は、人が往来する一般道路に面した店舗の出入り口に設けられるものであるため、クリップ手段５をシャッターカーテン２の道路に面する外面（クリップ手段５によって挟持されるシート材６が一般通行人の目に触れる側の面）に設けたが、これはシート材６に表示された情報を伝達する対象が一般通行人である場合である。例えば、店舗内でシャッターカーテン２を開閉操作する店員に対して、シャッターカーテン２を開放する際又は全閉した際に注意を喚起する文言等を表示しておきたい場合には、シャッターカーテン２の内面が人の目に触れる側であるため、この内面にクリップ手段５が設けられる。
【００２９】
又、本実施の形態では、人の目の視線近傍の高さ位置にクリップ手段５を設けたが、ここで、「人の目の視線近傍の高さ位置」とは、クリップ手段５に挟持れたシート材６を見る者又は見せたい対象者が大人か子供かによって異なり、又、遠近の程度によっても異なるが、ほぼ正面から見て余り視線を上下に移動させなくても自然に目に入る程度の高さを意味する。例えば、シャッターカーテン２の全閉鎖時において該シャッターカーテン２の下端部から約８０ｃｍ〜１８０ｃｍ程度の高さ範囲が好ましいと考えられるが、この範囲に限定される訳ではない。例えば、道路を隔てた反対側の歩道のような比較的遠方から見せることを意識するのであれば、高さ位置の範囲は若干広くでも良い。又、シャッターカーテン２の全閉鎖時の下端部からの高さ位置範囲についても、例えば車の後部に搭載されたシャッター装置やドアであれば、車高を加味した高さがその高さ位置範囲となる。
【００３０】
而して、クリップ手段５は、図２に示すように、そのクリップ本体７の内壁７ｂをシャッターカーテン２の１つのスラット４の外面の平面部に固着することによって、シャッターカーテン２（スラット４）の厚さ内に一体的に設置されている。
【００３１】
ここで、クリップ手段５の作用を図３（ａ）〜（ｃ）に従って説明する。
【００３２】
図３（ａ）はシート材６を挟持する前のクリップ手段５の状態を示すが、この状態ではストッパピース８は自重によってクリップ本体７のテーパ壁７ａ−１上を転動して最下位に位置し、クリップ本体７の内壁７ｂに当接した状態で静止している。
【００３３】
そして、図３（ａ）に示す状態から、図３（ｂ）に示すようにシート材６の上端部をクリップ手段５の前記スリットＳを通過してクリップ本体７内のストッパピース８と内壁７ｂとの間に下方から挿入すれば、ストッパピース８がシート材６によって押し上げられてシート材６の通過を許容する。その後、シート材６からの外力が解除されると、図３（ｃ）に示すように、ストッパピース８はその自重と摩擦によってクリップ本体７の内壁７ｂに再び押圧され、内壁７ｂとの間でシート材６の上端縁を図示のように挟持する。従って、シート材６は、その上端部をクリップ手段５のスリットＳから内部に挿入するだけのワンタッチ動作でクリップ手段５に容易に取り付けられる。
【００３４】
又、図３（ｃ）に示すようにクリップ手段５によって挟持されたシート材６を取り外すには、シート材６をそのまま持ち上げれば良い。すると、ストッパピース８がシート材６によって押し上げられてシート材６の挟持を解除するため、シート材６をそのまま下方へ引っ張ってこれをクリップ手段５から容易に取り外すことができる。
【００３５】
ところで、図１に示すように、シャッターカーテン２の正面の幅方向中央には鍵９が設けられているが、この鍵９は、前記クリップ手段５の下方で且つ該クリップ手段５に挟持されたシート材６によって隠れる高さ位置に設置されている。そして、鍵９の下方で且つシート材６の下端から外へ露出する高さ位置には左右一対の手掛け１０が配置されている。尚、手掛け１０をクリップ手段５の幅外に設置しても良い。
【００３６】
以上において、本実施の形態に係るシャッター装置１においては、シート材６を従来のようにガムテープ等で貼り付けたり、剥したりする必要がなく、シャッターカーテン２に設けられたクリップ手段５によってチラシやポスター等のシート材６をシャッターカーテン２に対して見栄え良く、しかも、簡易に取り付け及び取り外すことができ、該シート材６を宣伝広告や情報伝達等の用途に供することができる。又、シート材６はワンタッチで容易に取り付け及び取り外しができるため、これを別のものに容易に取り替えることができる。
【００３７】
又、クリップ手段５をシャッターカーテン２（スラット４）の厚さ内に設置したため、シャッターカーテン２が移動していく経路近傍に設けられた部材（例えば、まぐさ）とクリップ手段５との干渉を避けることができ、クリップ手段５のためにまぐさとの間隔を広げる等の対策が不要となる。又、シャッターカーテン２が巻き取られる場合には、巻き取りや巻き戻しに際して、これらの操作に支障が生ずるような突出がないため、通常の巻き取りや巻き戻し操作が可能となる。
【００３８】
更に、本実施の形態では、シャッターカーテン２を閉じたとき該シャッターカーテン２が人の目に触れる側の面であって、且つ、人の目の視線近傍の高さ位置にクリップ手段５を設置したため、該クリップ手段５によって挟持されたチラシやポスター等のシート材６が人の目に触れて宣伝広告や情報伝達等の用途に供される。
【００３９】
又、本実施の形態では、クリップ手段５の下方で且つ該クリップ手段５に挟持されたシート材６によって隠れる高さ位置に鍵９を設置したため、防犯と外観性の向上が図られる。そして、鍵９の下方で且つシート材６の下端から外へ露出する高さ位置に手掛け１０を配置したため、該手掛け１０に手を掛けてシャッターカーテン２を開閉することができ、シート材６がシャッターカーテン２の開閉動作の邪魔になることがない。尚、クリップ手段５は人の目の高さ位置に設置されるが、手掛け１０は手を掛けるべきものであるため、人の目の高さ位置よりも下方位置に設けられるべきである。
【００４０】
尚、以上の実施の形態では、シート材６の上端縁を挟持するためのクリップ手段５を１つだけ設けた構成を示したが、図４に示すように、シート材６の下端縁を挟持するためのもう１つのクリップ手段５’を別のスラット４に設ける構成を採用しても良い。
【００４１】
又、図５に別形状を有するスラット４’にクリップ手段５を一体的に設けた例を示すが、この場合もクリップ手段５は前記実施の形態と同様の作用効果を果たす。
【００４２】
更に、図６及び図７にシャッターカーテン２の内面側（図６の右側面）にクリップ手段５”を設けた形態を示す。尚、図６はシャッターカーテン２の部分縦断面図、図７は図６の矢視Ｂ方向の部分正面図である。
【００４３】
本実施の形態においては、シャッターカーテン２を構成する複数のスラット４の１つの幅方向中央部内面に凹部４ａを部分的に形成し、この凹部４ａ内に２つのストッパピース８を収納することによってクリッブ手段５”を構成しており、このクリップ手段５”の機能は前記クリップ手段５，５’のそれと同じである。即ち、１つのスラット４の内側面の幅方向中央部に開口する横方向に長いスリットＳからシート材６の上端部をスラット４の凹部４ａ内に差し込めば、ストッパピース８がシート材６によって押し上げられてシート材６の通過を許容し、その後、シート材６からの外力が除去されると、該シート材６は、その上端部がストッパピース８とスラット４によって挟持される。このように、シート材６は、その上端部をスリットＳからスラット４の凹部４ａ内に挿入するだけのワンタッチ動作でクリップ手段５”に容易に取り付けられ、特にシャッターカーテン２内で作業する店員等への情報伝達に供される。
【００４４】
そして、本実施の形態の場合、シャッターカーテン２（スラット４）の内側面には僅かな幅のスリットＳが見えるだけで、クリップ手段５”が設けられたスラット４は他のスラット４と見た目が余り違わないため、外観上の違和感が生ずることがない。
【００４５】
ところで、クリップ手段としては、実施の形態に示したものに限定されず、板バネ式、ブラシローラ式等の他の任意の形式のものを使用することができる。
【００４６】
更に、本発明の適用対象であるシャッター装置は、オーバーヘッドドア等を含むが、シャッターカーテンがスラットやパネル等の複数の部材で構成されている場合、クリップ手段と鍵と手掛けはそれぞれ別の部材に設けられていても良く、このように構成すれば、選択により種々の組み合わせに対応することができる。
【００４７】
又、本発明の適用対象であるシャッター装置にはガイドレールは必ずしも必要ではなく、シャッターカーテンの開閉方向は下から上が閉鎖方向でも、横引きでも良く、更には挟んで下げられれば、開閉方向は任意である。
【産業上の利用可能性】
【００４８】
本発明は、その適用が店舗用のシャッター装置に限定されず、倉庫や工場等、他の任意の建物や車体等の移動物に設けられるシャッター装置に対しても有用に適用することができる。
【図面の簡単な説明】
【００４９】
【図１】本発明に係るシャッター装置の正面図である。
【図２】図１のＡ−Ａ線拡大断面図である。
【図３】（ａ）〜（ｃ）は本発明に係るシャッター装置のクリップ手段の構成と作用を説明する縦断面図である。
【図４】本発明に係るシャッター装置の他の形態を示すシャッターカーテンの部分縦断面図である。
【図５】本発明に係るシャッター装置の他の形態を示すシャッターカーテンの部分縦断面図である。
【図６】本発明に係るシャッター装置の他の形態を示すシャッターカーテンの部分縦断面図である。
【図７】図６の矢視Ｂ方向の部分正面図である。
【符号の説明】
【００５０】
１            シャッター装置
２            シャッターカーテン
３            ガイドレール
４，４’      スラット
５，５，５”  クリップ手段
６            シート材
７            クリップ本体
８            ストッパピース
９            鍵
１０          手掛け
Ｓ            スリット
【図１】
2005264449.tif 000003
【図２】
2005264449.tif 000004
【図３】
2005264449.tif 000005
【図４】
2005264449.tif 000006
【図５】
2005264449.tif 000007
【図６】
2005264449.tif 000008
【図７】
2005264449.tif 000009